【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
吸水性ポリマーと親水性繊維とを含む吸収体であって、
吸水性ポリマーと親水性繊維との重量比（吸水性ポリマーの重量／親水性繊維の重量）が１以上である第１領域と、
該第１領域よりも吸水性ポリマー及び親水性繊維それぞれの含有量が多い第２領域とを有し、
前記第１領域及び前記第２領域は、厚み方向に連続して配されており、
０．９重量％の塩化ナトリウム水溶液を２０００ｇ／ｍ２供給して５分経過後の状態において、前記第２領域を厚み方向に貫通する凹部が形成されている吸収体。
【請求項２】
前記第２領域の吸水性ポリマーの重量と前記第１領域の吸水性ポリマーの重量との重量比（前記第２領域の吸水性ポリマーの重量／前記第１領域の吸水性ポリマーの重量）が１．２以上である請求項１に記載の吸収体。
【請求項３】
前記第１領域と前記第２領域とで、吸水性ポリマーと親水性繊維との重量比（吸水性ポリマーの重量／親水性繊維の重量）が異なっている請求項１又は２に記載の吸収体。
【請求項４】
吸水性ポリマーと親水性繊維との重量比（吸水性ポリマーの重量／親水性繊維の重量）に関し、前記第２領域の方が前記第１領域よりも大きい請求項３に記載の吸収体。
【請求項５】
前記吸収体は、前記凹部と前記凹部により区画された凸部とを有し、前記凹部における吸収性材料の坪量及び密度が、前記凸部における吸収性材料の坪量及び密度と同じかそれらよりも低くなっている、請求項１〜４の何れか１項に記載の吸収体。
【請求項６】
前記第２領域よりも吸水性ポリマー及び親水性繊維それぞれの含有量が少なく、吸水性ポリマーと親水性繊維との重量比（吸水性ポリマーの重量／親水性繊維の重量）が０．５以下である第３領域を有し、
前記第１領域、前記第２領域及び前記第３領域は、厚み方向に連続して配されており、
前記凹部は、前記第２領域及び前記第３領域を厚み方向に貫通している請求項１〜５の何れか１項に記載の吸収体。
【請求項７】
肌対向面側に配された表面シートと、非肌対向面側に配された裏面シートと、これら両シート間に配された、請求項１〜６の何れか１項に記載の吸収体とを備えた吸収性物品。
【手続補正２】
【補正対象書類名】明細書
【補正対象項目名】００１８
【補正方法】変更
【補正の内容】
【００１８】
吸収体４Ａの有する第３領域４Ｔは、乾燥状態において、第２領域４Ｓよりも吸水性ポリマー及び親水性繊維それぞれの含有量が少なく、吸水性ポリマー４１と親水性繊維４２との重量比（吸水性ポリマーの重量／親水性繊維の重量）が０．５以下である領域である。吸収体４Ａにおける第３領域４Ｔの重量比（吸水性ポリマーの重量／親水性繊維の重量）は、０．０５以上、好ましくは０．１以上、より好ましくは０．１５以上、そして、０．５以下、好ましくは０．４以下、より好ましくは０．２以下、より具体的には、０．０５以上０．５以下であることが好ましく、０．１以上０．４以下であることがより好ましく、０．１５以上０．２以下であることが更に好ましい。第３領域４Ｔの吸水性ポリマー４１の重量（坪量）は、０ｇ／ｍ２以上、好ましくは５ｇ／ｍ２以上、より好ましくは１０ｇ／ｍ２以上、そして、５０ｇ／ｍ２以下、好ましくは４０ｇ／ｍ２以下、より好ましくは１５ｇ／ｍ２以下、より具体的には、０ｇ／ｍ２以上５０ｇ／ｍ２以下であることが好ましく、５ｇ／ｍ２以上４０ｇ／ｍ２以下であることがより好ましく、１０ｇ／ｍ２以上１５ｇ／ｍ２以下であることが更に好ましい。第３領域４Ｔの親水性繊維４２の重量（坪量）は、０ｇ／ｍ２以上、好ましくは１０ｇ／ｍ２以上、より好ましくは５０ｇ／ｍ２以上、そして、１５０ｇ／ｍ２以下、好ましくは１００ｇ／ｍ２以下、より好ましくは７０ｇ／ｍ２以下、より具体的には、０ｇ／ｍ２以上１５０ｇ／ｍ２以下であることが好ましく、１０ｇ／ｍ２以上１００ｇ／ｍ２以下であることがより好ましく、５０ｇ／ｍ２以上７０ｇ／ｍ２以下であることが更に好ましい。
【手続補正３】
【補正対象書類名】明細書
【補正対象項目名】０１０６
【補正方法】変更
【補正の内容】
【０１０６】
＜１２＞
前記吸水性ポリマーは、ＤＷ法に従い測定された吸収速度が８ｍｌ／（ｇ・１分）以上１３ｍｌ／（ｇ・１分）以下である前記＜１＞〜＜１１＞の何れか１に記載の吸収体。
＜１３＞
前記第１領域の吸水性ポリマーの坪量に対する前記第２領域の吸水性ポリマーの坪量の比（第２領域／第１領域）は、好ましくは１．６倍以上、より好ましくは２．０倍以上、更に好ましくは２．１倍以上である＜１＞〜＜１２＞の何れか１に記載の吸収体。
＜１４＞
前記第１領域の吸水性ポリマーの坪量に対する前記第２領域の吸水性ポリマーの坪量の比（第２領域／第１領域）は、好ましくは２．５倍以下、より好ましくは２．３倍以下、更に好ましくは２．２５倍以下である＜１＞〜＜１３＞の何れか１に記載の吸収体。
＜１５＞
前記第１領域の吸水性ポリマーの坪量に対する前記第２領域の吸水性ポリマーの坪量の差（第２領域−第１領域）は、好ましくは４５ｇ／ｃｍ２以上、より好ましくは７０ｇ／ｃｍ２以上、更に好ましくは９０ｇ／ｃｍ２以上である＜１＞〜＜１４＞の何れか１に記載の吸収体。
＜１６＞
前記第１領域の吸水性ポリマーの坪量に対する前記第２領域の吸水性ポリマーの坪量の差（第２領域−第１領域）は、好ましくは１５０ｇ／ｃｍ２以下、より好ましくは１２０ｇ／ｃｍ２以下、更に好ましくは１００ｇ／ｃｍ２以下である＜１＞〜＜１５＞の何れか１に記載の吸収体。
＜１７＞
前記第３領域の吸水性ポリマーの坪量に対する前記第２領域の吸水性ポリマーの坪量の比（第２領域／第３領域）は、好ましくは１５倍以上、より好ましくは１７倍以上である＜１＞〜＜１６＞の何れか１に記載の吸収体。
＜１８＞
前記第３領域の吸水性ポリマーの坪量に対する前記第２領域の吸水性ポリマーの坪量の比（第２領域／第３領域）は、好ましくは２０倍以下、より好ましくは１９倍以下である＜１＞〜＜１７＞の何れか１に記載の吸収体。
＜１９＞
前記第３領域の吸水性ポリマーの坪量に対する前記第２領域の吸水性ポリマーの坪量の差（第２領域−第３領域）は、好ましくは１５０ｇ／ｃｍ２以上、より好ましくは１６０ｇ／ｃｍ２以上である＜１＞〜＜１８＞の何れか１に記載の吸収体。
＜２０＞
前記第３領域の吸水性ポリマーの坪量に対する前記第２領域の吸水性ポリマーの坪量の差（第２領域−第３領域）は、好ましくは２００ｇ／ｃｍ２以下、より好ましくは１８０ｇ／ｃｍ２以下である＜１＞〜＜１９＞の何れか１に記載の吸収体。
＜２１＞
前記第３領域の親水性繊維の坪量に対する前記第２領域の親水性繊維の坪量の比（第２領域／第３領域）は、好ましくは１．４倍以上である＜１＞〜＜２０＞の何れか１に記載の吸収体。
＜２２＞
前記第３領域の親水性繊維の坪量に対する前記第２領域の親水性繊維の坪量の比（第２領域／第３領域）は、好ましくは１．６倍以下である＜１＞〜＜２１＞の何れか１に記載の吸収体。
＜２３＞
前記第３領域の親水性繊維の坪量に対する前記第２領域の親水性繊維の坪量の差（第２領域−第３領域）は、好ましくは２５ｇ／ｃｍ２以上である＜１＞〜＜２２＞の何れか１に記載の吸収体。
＜２４＞
前記第３領域の親水性繊維の坪量に対する前記第２領域の親水性繊維の坪量の差（第２領域−第３領域）は、好ましくは３５ｇ／ｃｍ２以下である＜１＞〜＜２３＞の何れか１に記載の吸収体品。
＜２５＞
肌対向面側に配された表面シートと、非肌対向面側に配された裏面シートと、これら両シート間に配された、前記＜１＞〜＜２４＞の何れか１に記載の吸収体とを備えた吸収性物品。
＜２６＞
前記第２領域は、前記第１領域の肌対向面側に配されており、
前記凹部は、前記表面シート側から前記裏面シート側に凹んでいる前記＜２５＞に記載の吸収性物品。
＜２７＞
前記第２領域は、前記第１領域の非肌対向面側に配されており、
前記凹部は、前記裏面シート側から前記表面シート側に凹んでいる前記＜２５＞に記載の吸収性物品。
＜２８＞
前記吸収体と前記表面シートとの間に親水性の中間シートが配されている前記＜２５＞〜＜２７＞の何れか１に記載の吸収性物品。
＜２９＞
前記吸収体と前記裏面シートとの間に親水性の中間シートが配されている前記＜２５＞〜＜２８＞の何れか１に記載の吸収性物品。
＜３０＞
前記吸収体の前記凹部と前記中間シートとにより空間が形成されている＜２８＞又は＜２９＞に記載の吸収性物品。